(57)【要約】【課題】携帯端末を接続せずにデータ出力でき、かつ活用しやすいデータを得ると共に、印刷用紙の無駄を抑制できる携帯端末データの印刷装置を提供する。【解決手段】携帯電話２から無線送信されるデータを受信する受信部３と、この受信部３で受信したデータを記憶する記憶部８と、この記憶部８に記憶したデータの中から選択し、所定の表示形式に配列して出力する情報処理部５と、この情報処理部５から出力されるデータを印刷するプリンタ部７と、ユーザにより操作され、データ出力指示を情報処理部５に入力する操作部６とを備えた。【選択図】図１
2010069720.tif 000002
【特許請求の範囲】
【請求項１】
携帯端末から無線送信されるデータを受信する受信部と、
この受信部で受信した前記データを記憶する記憶部と、
この記憶部に記憶した前記データの中から選択し、所定の表示形式に配列して出力する情報処理部と、
この情報処理部から出力されるデータを印刷するプリンタ部とを備えたことを特徴とする携帯端末データの印刷装置。
【請求項２】
請求項１に記載の携帯端末データの印刷装置であって、
ユーザにより操作され、前記データの出力条件を含むデータ出力指示を前記情報処理部に対して入力する操作部を設けたことを特徴とする携帯端末データの印刷装置。
【請求項３】
請求項１または請求項２に記載の携帯端末データの印刷装置であって、
前記記憶部は、複数の発信元毎に前記データを記憶すると共に、
前記情報処理部は、指定された前記発信元に関する前記データを選択的に出力することを特徴とする携帯端末データの印刷装置。
【請求項４】
請求項１〜請求項３のいずれか１項に記載の携帯端末データの印刷装置であって、
前記受信部、前記記憶部及び前記情報処理部を有するサーバを備えると共に、
前記プリンタ部が通信ネットワークを介して前記サーバに接続されたことを特徴とする携帯端末データの印刷装置。
【発明の詳細な説明】
【技術分野】
【０００１】
本発明は、携帯電話などの携帯端末のデータを印刷する携帯端末データの印刷装置に関する。
【背景技術】
【０００２】
近年、携帯電話などの携帯端末は多機能化されており、画像及び電子メールを受信したり、業務上のメモを記憶する状況が増えているため、携帯端末内の複数のデータを印刷する技術が求められている。
【０００３】
この種の従来技術として、特許文献１には、携帯電話が接続コードを介して着脱可能に接続され、携帯電話からのデータをデータ受信手段で受信するプリンタを備えた携帯電話のデータ印刷システムが記載されている。上記構成では、接続コードを介して携帯電話をプリンタに接続した状態で、携帯電話のデータを送信してプリンタのデータ受信手段で受信して印刷する。これにより、パーソナルコンピュータやモバイルコンピュータなどの周辺機器を介さずに、携帯電話のデータを印刷することができる。
【０００４】
また、特許文献２には、プリントサーバを構築する印刷順制御モジュールが、条件保管テーブル内に任意に設定されたソート抽出条件に従ってドキュメンタリキュー内の各印刷ジョブを検索することによって、各印刷ジョブの印刷データから当該抽出条件に合致する情報を抽出すると共に、抽出した各情報をキーとして複数の印刷ジョブの印刷順を変更し、この印刷順にしたがって複数の印刷ジョブをジョブ単位毎に印刷させるようにした印刷制御装置が記載されている。上記構成では、印刷毎に特別な操作を行うことなく、複数の印刷ジョブの印刷順を任意に自動変更した印刷制御を実現できる。
【特許文献１】特開２００３−２４１９１１号公報
【特許文献２】特開２００３−２８０８４３号公報
【発明の開示】
【発明が解決しようとする課題】
【０００５】
しかしながら、特許文献１に記載されている従来技術では、携帯電話内の複数のデータを出力する場合、１つのデータを１枚の用紙に印刷するため余白部分を多く残すことになり、印刷用紙の無駄が発生するという問題があった。また、携帯電話内のデータは簡素な形式で記憶されるため、印刷された出力データの活用が難しい場合があり、さらに、接続コードを介して携帯電話をプリンタに接続できない環境にある場合には、携帯電話内のデータをプリンタに出力できないという問題もあった。
【０００６】
また、特許文献２に記載されている従来技術では、携帯電話内の複数のデータを出力する場合、複数の印刷ジョブをジョブ単位毎に印刷し、１つのデータを１枚の用紙に印刷するため、余白部分を多く残すことになり印刷用紙の無駄が発生するという問題があった。また、出力データを使用する際に、ユーザにとって内容が把握しやすい表示形式になっていないため、出力データの活用が難しい場合があった。
【０００７】
そこで、本発明は、携帯端末の接続を要せずに携帯端末からデータを出力でき、かつユーザにとって活用しやすい印刷データを得られると共に、印刷用紙の無駄を抑制することができる携帯端末データの印刷装置を提供することを目的とする。
【課題を解決するための手段】
【０００８】
上記目的を達成する請求項１の発明は、携帯端末から送信されるデータを受信する受信部と、この受信部で受信した前記データを記憶する記憶部と、この記憶部に記憶した前記データの中から選択し、所定の表示形式に配列して出力する情報処理部と、この情報処理部から出力されるデータを印刷するプリンタ部とを備えたことを特徴とする。
【０００９】
請求項２の発明は、請求項１記載の携帯端末データの印刷装置であって、ユーザにより操作され、前記データの出力条件を含むデータ出力指示を前記情報処理部に対して入力する操作部を設けたことを特徴とする。
【００１０】
請求項３の発明は、請求項１または請求項２記載の携帯端末データの印刷装置であって、前記記憶部は、複数の発信元毎に前記データを記憶すると共に、前記情報処理部は、指定された前記発信元に関する前記データを選択的に出力することを特徴とする。
【００１１】
請求項４の発明は、請求項１〜請求項３のいずれか１項に記載の携帯端末データの印刷装置であって、前記受信部、前記記憶部及び前記情報処理部を有するサーバを備えると共に、前記プリンタ部が通信ネットワークを介して前記サーバに接続されたことを特徴とする。
【発明の効果】
【００１２】
請求項１の発明によれば、携帯端末から無線送信されるデータを受信部で受信するので、携帯端末の接続を要せずに、携帯端末からデータを出力してプリンタ部で印刷することができる。また、受信部で受信した前記データを記憶部により記憶し、情報処理部により前記データの中から選択して所定の表示形式に配列して出力し、プリンタ部で印刷するので、ユーザにとって活用しやすい印刷データが得られると共に、余白部分を少なくして印刷用紙の無駄を抑制することができる。
【００１３】
請求項２の発明によれば、請求項１の発明の効果に加え、ユーザが操作部を操作してデータの出力条件を含むデータ出力指示を入力すると、情報処理部では前記出力条件に応じて前記データの中から選択し、所定の表示形式に配列して出力する。これにより、ユーザにとってさらに活用しやすい印刷データを得ることができる。
【００１４】
請求項３の発明によれば、請求項１または請求項２の発明の効果に加え、受信部で受信したデータを発信元毎に記憶部で記憶すると共に、指定された発信元に関する前記データを情報処理部により選択的に出力するので、ユーザは所望の発信元に限定して必要な出力データを得ることができる。
【００１５】
請求項４の発明によれば、請求項１〜請求項３のいずれか１項の発明の効果に加え、サーバが受信部、記憶部及び情報処理部を備えると共に、通信ネットワークを介してプリンタ部が接続されるので、既成のパソコンなどを前記サーバとして用いることができ、費用の低減を図ることができる。
【発明を実施するための最良の形態】
【００１６】
本発明の実施形態について図面を参照して詳細に説明する。図１は、本発明の一実施形態に係る携帯端末データの印刷装置を示すブロック図、図２は、本実施形態に係る印刷装置へのデータ送信を説明する図、図３は、本実施形態に係る印刷装置のデータ出力を説明する図、図４は、本実施形態に係る印刷装置のデータ処理手順を示すフローチャートである。
【００１７】
図１に示すように、本実施形態の携帯端末データの印刷装置１は、携帯端末、例えば携帯電話２からのデータを受信する受信部３と、携帯電話２へデータを送信する送信部４と、これらの受信部３及び送信部４などに接続され、種々の情報処理を行う情報処理部５と、この情報処理部５に接続される操作部６及びプリンタ部７と、受信部３及び情報処理部５に接続される記憶部８とを備えている。この記憶部８は、データを一時保存する第１記憶部８ａと、データベース機能を有する第２記憶部（ＤＢ）８ｂと、既定の表示形式を記憶する第３記憶部（ＲＡＭ）８ｃと、１頁分の出力データの内容を記憶する第４記憶部８ｄとから構成されている。
【００１８】
図２に示すように、携帯電話２は、例えば発信元（携帯電話番号あるいはＥメールアドレス）を含むヘッダＡ１と、「明日は打ち合わせ」などの本文Ａ２の項目を含むデータＡを作成し、発信日時とともに送信する。
【００１９】
印刷装置１は、受信部３にて受信したデータＡから受信日時、発信日時、発信元、本文及び添付などを項目毎にデータを抽出して、第２記憶部８ｂの情報記憶領域に発信元毎（ヘッダＡ１毎）の保存データＢとして記憶する。また、図３に示すように、ユーザは、操作部６を介して保存データＢの中から出力する項目（発信元、受信日、本文等）の出力条件Ｃ１を含むデータ出力指示Ｃを入力すると共に、第３記憶部８ｃに記憶されている既定の表示形式の中から任意のものを選択する。その結果、プリンタ部７により、選択した発信元Ｄ１に関する受信日時毎のメッセージＤ２〜Ｄ４を含むフォームＤが印刷される。
【００２０】
上記実施形態にあっては、図４に示す処理手順Ｓ１〜Ｓ１０に従って携帯端末データの出力及び印刷を行うようになっている。すなわち、手順Ｓ１として携帯電話２にてデータＡを作成し、手順Ｓ２として、携帯電話２からＥメールにてデータＡを無線送信する。次いで手順Ｓ３として、印刷装置１は受信部３により上記データＡを受信し、手順Ｓ４として、第１記憶部８ａに一時保存すると共に、手順Ｓ５として、上記データＡから必要な項目毎にデータを抽出して、第２記憶部８ｂの情報記憶領域に発信元毎の保存データＢとして記憶し、手順Ｓ６として、第１記憶部８ａに一時保存したデータＡを廃棄する。
【００２１】
次いで手順Ｓ７として、ユーザが操作部６を介してデータ出力指示Ｃを入力すると共に、第３記憶部８ｃに記憶される既定の表示形式の中から任意のものを選択すると、手順Ｓ８として、第２記憶部８ｂに記憶される保存データＢの中から上記出力条件Ｃ１に基づいて検索し、手順Ｓ９として、検索したデータを選択された表示形式のものに当てはめて出力する。その結果、手順Ｓ１０として、プリンタ部７によりフォームＤが印刷される。
【００２２】
以上、説明したように、本発明によれば、携帯電話２から無線送信されるデータＡを受信部３で受信するので、携帯電話２の接続を要せずに、携帯電話２からデータＡを出力してプリンタ部７で印刷することができる。また、受信部３で受信したデータＡを記憶部８により記憶しておき、情報処理部５により上記データＡの中から選択して所定の表示形式に配列して出力し、プリンタ部７で印刷するので、ユーザにとって活用しやすい印刷データが得られると共に、余白部分が少ない出力結果が得られるので印刷用紙の無駄を抑制することができる。
【００２３】
また、本発明によれば、ユーザが印刷装置１の操作部６を操作してデータの出力条件Ｃ１を含むデータ出力指示Ｃを入力すると、情報処理部５では上記出力条件Ｃ１に応じて上記データＡの中から選択し、所定の表示形式に配列して出力するので、ユーザにとってさらに活用しやすい印刷データを得ることができる。
【００２４】
また、本発明によれば、受信部３で受信したデータＡから受信日時、発信元、本文及び添付などのデータを項目毎に抽出し、第２記憶部８ｂの情報記憶領域に発信元毎の保存データＢとして記憶しておき、情報処理部５により検索して、指定された発信元に関するデータを選択的に出力するので、ユーザは所望の発信元に限定して必要な出力データを得ることができる。
【００２５】
以上、本発明の好適な実施形態について説明したが、本発明は上記実施形態には限定されず、種々の変形が可能である。
【００２６】
例えば、上記実施形態では、ユーザが操作部６を操作してデータ出力を行うとき、保存データＢの中から検索したデータを選択された表示形式のものに当てはめて出力し、フォームＤをプリンタ部７で印刷するようにしたが、検索したデータを選択された表示形式のものに当てはめて出力するときに、そのデータを第４記憶部８ｄに一時記憶しておき、印刷用紙の１頁分のデータが溜まった時点で自動的に出力してプリンタ部７で印刷することもできる。この場合、印刷用紙の無駄をさらに抑制することができる。
【００２７】
また、上記実施形態では、ユーザが操作部６を操作することにより手動でデータ出力を行うようにしたが、所定件数が溜まったら自動的にデータ出力を行ってプリンタ部７で印刷することもできる。さらに、緊急時などに携帯電話２からデータ出力を指示してプリンタ部７で印刷し、その後、送信部４から携帯電話２に対してＥメールでデータ出力が完了したことを通知することもできる。
【００２８】
図５は、本発明の他の実施形態に係る携帯端末データの印刷装置を示すブロック図である。なお、図５において前述した図１〜図４に示すものと同様のものには同一符号を付してある。
【００２９】
図５に示すように、本実施形態の携帯端末データの印刷装置１Ａは、受信部３、送信部４、記憶部８、及び情報処理部５を有するサーバ１０を備えており、通信ネットワーク１１を介してプリンタ部７が接続されると共に、サーバ１０に操作部６が付設されている。
【００３０】
本発明によれば、既成のパソコンなどをサーバ１０として用いることにより、費用の低減を図ることができる。
【図面の簡単な説明】
【００３１】
【図１】本発明の一実施形態に係る携帯端末データの印刷装置を示すブロック図である。
【図２】本実施形態に係る印刷装置へのデータ送信を説明する図である。
【図３】本実施形態に係る印刷装置のデータ出力を説明する図である。
【図４】本実施形態に係る印刷装置のデータ処理手順を示すフローチャートである。
【図５】本発明の他の実施形態に係る携帯端末データの印刷装置を示すブロック図である。
【符号の説明】
【００３２】
１，１Ａ…携帯端末データの印刷装置、２…携帯電話（携端末帯）、３…受信部、５…情報処理部、６…操作部、７…プリンタ部、８…記憶部、８ｂ…第２記憶部（ＤＢ）、１０…サーバ、１１…通信ネットワーク
【図１】
2010069720.tif 000003
【図２】
2010069720.tif 000004
【図３】
2010069720.tif 000005
【図４】
2010069720.tif 000006
【図５】
2010069720.tif 000007